(57)【要約】【課題】ＬＥＤを搭載した照明装置において、ＬＥＤで発生した熱を、放熱部を外観に露出させることなく効率よく放熱させる。【解決手段】主光源を収容する発光部筐体５と、制御手段及びＬＥＤライトユニット１０を収容する制御部筐体３と、制御部筐体３と発光部筐体５との間に配置されて、制御部筐体３に対する発光部筐体５のバウンス動作を可能にするバウンス筐体８とを備えるストロボ装置１において、ＬＥＤライトユニット１０で発生する熱を外部に放熱する放熱部材としてのヘッドプレート１９に高輝度ＬＥＤ２３が実装されたＬＥＤ基板２２を取り付け、ヘッドプレート１９をバウンス筐体８と制御部筐体３の境界に面するように配置する。【選択図】図６
2015028524.tif 000002
【特許請求の範囲】
【請求項１】
主光源の照射方向を変化させるバウンス機能を有し、相対的に旋回動作する複数の筐体からなり、前記複数の筐体のうちのいずれかの筐体にＬＥＤライトユニットが組み込まれた照明装置であって、
前記ＬＥＤライトユニットで発生する熱を放熱するために、前記複数の筐体の境界に面するように配置された放熱部材を備えることを特徴とする照明装置。
【請求項２】
前記ＬＥＤライトユニットは、光源であるＬＥＤが実装された金属からなるＬＥＤ基板を有し、
前記ＬＥＤ基板は、前記放熱部材の一部と密着するように、前記ＬＥＤライトユニットが組み込まれた筐体に取り付けられていることを特徴とする請求項１に記載の照明装置。
【請求項３】
前記複数の筐体は、主光源を収容する発光部筐体と、前記ストロボ装置の制御手段と前記ＬＥＤライトユニットを収容する制御部筐体と、前記発光部筐体と前記制御部筐体との間に配置され、前記発光部筐体に対して第１の軸回りに旋回可能であると共に前記制御部筐体に対して前記第１の軸と直交する第２の軸回りに旋回可能なバウンス筐体であり、
前記放熱部材は、前記バウンス筐体と前記制御部筐体の境界に面するように前記制御部筐体の内部に配置され、前記バウンス筐体と前記制御部筐体の境界の空間と、前記発光部筐体と前記バウンス筐体の境界の空間とが、前記ＬＥＤライトユニットで発生する熱を放熱するための放熱経路として使用されることを特徴とする請求項１又は２に記載の照明装置。
【請求項４】
前記放熱経路に前記ＬＥＤライトユニットで発生する熱により暖められた空気が流れる際に、トンネル効果により、前記バウンス筐体と前記制御部筐体の境界から前記放熱経路に空気が流入することを特徴とする請求項３に記載の照明装置。
【請求項５】
前記複数の筐体は、前記ＬＥＤライトユニットが主光源として収容された発光部筐体と、前記発光部筐体と対向する別の筐体であり、
前記発光部筐体は、前記別の筐体に対してバウンス動作が可能であり、
前記発光部筐体と前記別の筐体の境界の空間が、前記ＬＥＤライトユニットで発生する熱を放熱するための放熱経路として使用されることを特徴とする請求項１又は２に記載の照明装置。
【請求項６】
前記ＬＥＤライトユニットは、光源である複数のＬＥＤが実装された基台を有し、
前記基台において前記ＬＥＤが実装されている面とは反対側の面に前記放熱部材としての放熱フィンを有し、
前記放熱フィンが前記放熱経路に面するように前記発光部筐体に配置されていることを特徴とする請求項５に記載の照明装置。
【発明の詳細な説明】
【技術分野】
【０００１】
本発明は、発光撮影時に光源として使用可能なＬＥＤを搭載した照明装置に関し、特に、照明装置の放熱構造に関する。
【背景技術】
【０００２】
近年のデジタル一眼レフカメラは、動画撮影機能を備えるものが標準となってきていており、夜間撮影時には、従来のキセノン管による閃光発光を行う照明装置（以下「ストロボ装置」という）に加えて、継続点灯が可能な補助灯の必要性が増している。そこで、高輝度ＬＥＤを使用した補助灯（以下「ＬＥＤライト」という）を備えたストロボ装置が実際に市場に供給され始めているが、高輝度・大光量のＬＥＤライトを搭載する場合には、発光時にＬＥＤで発生する熱をどのようにして処理するかが重要な課題となる。この問題に対して、例えば、ＬＥＤで発生した熱を、ストロボ装置のフレーム等を利用し、最終的にカメラ本体の筐体へ熱を逃がす方法が提案されている（特許文献１参照）。
【先行技術文献】
【特許文献】
【０００３】
【特許文献１】特開２０１０−１４５７６４号公報
【発明の概要】
【発明が解決しようとする課題】
【０００４】
しかしながら、単体の外付けストロボ装置の場合には、カメラ本体に比べて筐体が小さいため、十分な熱容量を確保することができるフレームを構成することは困難である。また、ストロボ装置の外観品位（意匠性）が損なわれないように、放熱部を外観に露出させることなく、しかも、放熱部にユーザが直接には触れることができない構成とすることが、ユーザの安全性を確保する観点から望ましい。
【０００５】
本発明は、発光撮影時に光源として使用可能なＬＥＤを搭載した照明装置において、ユーザが直接に放熱部に触れることのないように放熱部材を外観に露出させることなく、ＬＥＤで発生した熱を効率よく放熱することができる技術を提供することを目的とする。
【課題を解決するための手段】
【０００６】
本発明に係る照明装置は、主光源の照射方向を変化させるバウンス機能を有し、相対的に旋回動作する複数の筐体からなり、前記複数の筐体のうちのいずれかの筐体にＬＥＤライトユニットが組み込まれた照明装置であって、前記ＬＥＤライトユニットで発生する熱を放熱するために、前記複数の筐体の境界に面するように配置された放熱部材を備えることを特徴とする。
【発明の効果】
【０００７】
本発明によれば、発光撮影時に光源として使用可能なＬＥＤを搭載した照明装置において、ＬＥＤで発生した熱を効率よく放熱することができると共に、放熱部材が外観に露出しないため、外観品位を損なうことがない。また、ユーザは放熱部に対して直接に触れることはないので、ユーザが火傷を負ってしまう等の事故の発生を未然に防ぐことができる。
【図面の簡単な説明】
【０００８】
【図１】本発明の第１実施形態に係るストロボ装置の外観斜視図である。
【図２】図１のストロボ装置が備える制御部筐体から外装部材を取り除いた状態を示す斜視図である。
【図３】図２の制御部筐体が備えるバッテリケースユニットの斜視図である。
【図４】図２の制御部筐体が備えるＬＥＤライトユニットの分解斜視図である。
【図５】図１のストロボ装置が備えるヘッド部の分解斜視図である。
【図６】図１のストロボ装置においてヘッド部と制御部筐体を分離して示す分解斜視図である。
【図７】図１のストロボ装置の縦断面図である。
【図８】第２実施形態に係る、主光源として高輝度ＬＥＤを有するストロボ装置の内部構造（発光部筐体の構造）を示す斜視図である。
【図９】図８のストロボ装置のヘッド部の縦断面図である。
【発明を実施するための形態】
【０００９】
以下、本発明の実施形態について、添付図面を参照して詳細に説明する。
【００１０】
＜第１実施形態＞
図１は、本発明の第１実施形態に係る照明装置としてのストロボ装置１の外観斜視図であり、図１（ａ）は発光パネル４が配置されている正面側からストロボ装置１を見た図であり、図１（ｂ）は背面側からストロボ装置１を見た図である。
【００１１】
ストロボ装置１は、概ね、上部のヘッド部２と下部の制御部筐体３とから構成される。ヘッド部２は、発光パネル４の内側に閃光を発生する発光撮影時の主光源であるキセノン管２７（図７参照）を内包し、旋回動作により発光パネル４からの閃光照射方向を変化させるバウンス機能を備える。図１（ａ）にはバウンスを行わない正位置状態が示されており、図１（ｂ）には所定角度のバウンスを行ったバウンス状態が示されている。
【００１２】
ヘッド部２は、発光部筐体５と、円筒形状をなすバウンス筐体８とによって構成されている。発光部筐体５は、バウンス筐体８に対して、ｍ軸回り（第１の軸回り）に旋回可能であり、これにより、図中上下方向での照射方向を調節することができるようになっている。また、バウンス筐体８は、制御部筐体３に対して、ｍ軸と直交するｎ軸回り（第２の軸回り）に旋回可能であり、これにより、図中左右方向での照射方向を調節することができるようになっている。
【００１３】
制御部筐体３は、後述するように、ストロボ装置１の制御手段である制御用の各種の回路基板を収容すると共に、操作パネル、電源等を備える。なお、本実施形態では、ストロボ装置１の筐体は、バウンス機能のために分割された発光部筐体５及びバウンス筐体８と、制御部筐体３との３つの筐体により構成される。
【００１４】
発光部筐体５は、バウンス筐体８に取り付けられている第１発光筐体６と、発光パネル４を有する第２発光筐体７により構成されている。この理由について、図７を参照して説明する。図７は、ストロボ装置１の縦断面図であり、制御部筐体３上部とヘッド部２全体の断面を示している。
【００１５】
第１発光筐体６には、閃光発光するキセノン管２７と、キセノン管２７を内包する反射傘２８とが配置されており、キセノン管２７を閃光発光させるための電荷を蓄積するメインコンデンサ２９が、バウンス筐体８の内部に配置されている。また、第２発光筐体７には、集光性を有するフレネルレンズが形成された発光パネル４が取り付けられている。
【００１６】
ストロボ装置１は、第２発光筐体７を第１発光筐体６に対して相対的に動かすことによって、閃光の照射角度を可変とする焦点可変機構を備えている。具体的には、第２発光筐体７を手動で第１発光筐体６から引き出すと、発光パネル４が反射傘２８から離れ、発光パネル４の集光作用により閃光の照射角度を狭くしてガイドナンバーを上昇させることができる。
【００１７】
なお、このような焦点可変機構は、本発明の要部とは直接には関係がないため、より詳細な説明は省略するものとし、以降の説明では、第１発光筐体６と第２発光筐体７は特に断ることの無い限り、一体の発光部筐体５として説明する。また、図７に符号を付したその他の構成部品については、後述の説明において適宜別図面を参照する等して、触れることとする。
【００１８】
図１の説明に戻る。制御部筐体３は、正面側の外装部材であるフロントカバー９と、背面側の外装部材であるバックカバー１４とを備える。フロントカバー９の上部に形成された円形状の開口部には、ＬＥＤライトユニット１０が配置されている。バックカバー１４は操作パネルとして構成されており、電源スイッチ１５等の各種スイッチが配置されている。
【００１９】
ＬＥＤライトユニット１０は、発光撮影時の主光源であるキセノン管２７とは別に発光撮影時に光源として用いられる補助光源であり、白色の高輝度ＬＥＤを発光源としている。ＬＥＤライトユニット１０は、主に、ストロボ装置１が取り付けられる不図示のデジタル一眼レフカメラ（撮像装置）による動画撮影機能を用いた動画撮影時において、被写体輝度が低輝度である場合等に光源として使用される。ＬＥＤライトユニット１０は、バックカバー１４に設けられた点灯ボタン３６を押下することによって、点灯のオン／オフを切り替えることができるようになっている。
【００２０】
制御部筐体３は、制御部筐体３の内部に電池３２（図７参照）を装填するための開閉可能な電池蓋１１と、下面側の外装部材であるボトムカバー１２とを備え、ボトムカバー１２には、不図示のデジタル一眼レフカメラへ装着するための脚部３７が設けられている。
【００２１】
図２は、制御部筐体３から外装部材を取り除いた状態を示す斜視図である。制御部筐体３は、電源となる単三型の４本の電池３２（図７参照）を収容するためのバッテリケース１６を備える。バッテリケースは、第１サブ基板１７や第２サブ基板１８、ＬＥＤライトユニット１０、ヘッド部２等を仮固定するための構造部材としても用いられる。
【００２２】
バッテリケース１６の側面と正面にはそれぞれ、第１サブ基板１７と第２サブ基板１８が取り付けられている。第１サブ基板１７及び第２サブ基板１８はそれぞれ、電源系統回路や昇圧回路等を有する。また、バッテリケース１６の背面には、バックカバー１４の操作パネルに対応した各種スイッチ素子やＭＰＵ等が実装された制御用のメイン基板（不図示）が固定される。
【００２３】
制御部筐体３は、バウンス筐体８の直下に配置された放熱部材としてのヘッドプレート１９を備える。ヘッドプレート１９は、後述するように、ヘッド部２にユニット化されている部品であり、ヘッド部２をバッテリケースユニット３４（図３を参照して後述する）に取り付けた後は、制御部筐体３の内部部材となる。ＬＥＤライトユニット１０は、バッテリケース１６とヘッドプレート１９の腕部１９ｂにそれぞれビス４１によって固定される。図２に符号を付したその他の構成部品については、後述の説明において適宜別図面を参照する等して、触れることとする。
【００２４】
図３は、制御部筐体３が備えるバッテリケースユニット３４の斜視図であり、ヘッド部２及びＬＥＤライトユニット１０が取り付けられていない状態が示されている。第２サブ基板１８の裏面に、昇圧用トランス３３が実装されている。バッテリケース１６の上部には、ヘッド部２を仮固定するための可撓性を持つ係止リブ１６ａと係止穴１６ｂとが設けられている。
【００２５】
図４は、ＬＥＤライトユニット１０の分解斜視図である。樹脂製ホルダ２１の正面側に設けられた３箇所の台座部２１ｂに対して、フレネルレンズ２０に設けられた３箇所の係合部２０ａ（１箇所は不図示）が、接着により固定される。樹脂製ホルダ２１の背面側には、高輝度ＬＥＤ２３が実装されたＬＥＤ基板２２が、樹脂製ホルダ２１に設けられた２本の爪部２１ａによって仮保持される。ＬＥＤ基板２２は、熱伝導性を高めるために、アルミニウム等の金属からなる基板である。但し、所望の熱伝導性が得られる限りにおいて、ＬＥＤ基板２２は、金属以外の材料或いは金属とその他の材料との複合材料等からなるものであってもよい。前述の通り、ＬＥＤライトユニット１０はバッテリケース１６とヘッドプレート１９の腕部１９ｂにそれぞれビス４１によって固定され、その際、ＬＥＤ基板２２は、ヘッドプレートの腕部１９ｂに密着した状態でビス４１により樹脂製ホルダ２１と共締めされる（図２参照）。
【００２６】
図５は、ヘッド部２の分解斜視図であり、ヘッドプレート１９が取り付けられるバウンス筐体８の下面側の構成を示している。発光部筐体５の下面及びバウンス筐体８のスカート部８ｄにはそれぞれ、第１の通気孔５ａ及び第２の通気孔８ｃが設けられており、これら第１の通気孔５ａ及び第２の通気孔８ｃは、後述するように、高輝度ＬＥＤ２３で発生した熱の放熱に用いられる。
【００２７】
バウンス筐体８の下面に設けられた軸部８ａの中央には、内部に貫通する穴部８ｂが形成されており、ヘッド部２の内部と制御部筐体３との電気的接続を行うためのワイヤハーネス（不図示）が穴部８ｂに通されている。ヘッドプレート１９はアルミニウム、銅合金又はステンレス等の金属からなる。ヘッドプレート１９の中央に設けられた円形状の穴部１９ｆは、バウンス筐体８の軸部８ａと略嵌合する。そして、ヘッドプレート１９は、軸部８ａと、ビス２５によってバウンス筐体８の軸部８ａの下面に固定される円形状の回転板２４とに挟持されて、バウンス筐体８に対して回転可能に取り付けられる。なお、回転板２４の中央に設けられた穴部２４ｂは、穴部８ｂを形成している突起部と嵌合する。
【００２８】
バウンス筐体８に組み付けられたヘッドプレート１９には、回転板２４を覆うように、回転板カバー２６が取り付けられる。回転板カバー２６の中央には、ワイヤハーネス（不図示）を通すための穴部２６ｅが設けられている。回転板カバー２６には、前方１箇所に係止突起２６ｃが、後方２箇所に係止突起２６ｄ（一方は不図示）が設けられている。係止突起２６ｃ，２６ｄはそれぞれ、ヘッドプレート１９の前方に設けられた折り曲げ部１９ｃに設けられた穴部１９ｅ及びヘッドプレート１９の前方に設けられた２箇所のフック部１９ｄと係合する。この係合により、回転板カバー２６はヘッドプレート１９に取り付けられる。
【００２９】
ヘッドプレート１９は、機構上、複数の役目を担っている。ヘッドプレートの穴１９ｆの内周には、複数のクリック溝１９ａが形成されており、バウンス筐体８の軸部８ａには、外周方向に付勢力を有するクリックピン８ｅが配置されている。複数のクリック溝１９ａにクリックピン８ｅが係合することにより、バウンス筐体８が制御部筐体３に対して相対回転した際に、クリックピン８ｅによるクリック力により所定角度でバウンス筐体８を係止することが可能となっている。
【００３０】
回転板２４には、その外周に突出するストッパ部２４ａが設けられており、ストッパ部２４ａの軌跡上において、ヘッドプレート１９の前方の折り曲げ部１９ｃが突出している。よって、ヘッド部２の回転は、折り曲げ部１９ｃの両端面１９ｇによって規制され、こうしてヘッド部２の回転を規制することにより、バウンス筐体８の軸部８ａの穴部８ｂに挿通されたワイヤハーネス（不図示）の過度の捻じれ防止することができる。
【００３１】
なお、バウンス筐体８の制御部筐体３に対するクリックや回転規制の機能は、従来は外装部材である樹脂製のフロントカバー９等に設けられていたが、本実施形態では、金属製のヘッドプレート１９を用いてこれらの機能を実現している。これにより、耐久性能や静圧強度の向上を図ることができる。
【００３２】
ヘッドプレート１９には、４箇所にビス穴１９ｈが形成されており、これらのビス穴１９ｈは、後述するように、外装部材を固定する役割を果たす。回転板カバー２６は、制御部筐体３側に引き出されたワイヤハーネス（不図示）と、回転する回転板２４との干渉を防ぐ。回転板カバー２６の下面において前方２箇所に設けられた爪部２６ａと後方２箇所に設けられた爪部２６ｂはそれぞれ、バッテリケース１６の上部に形成された係止リブ１６ａと係止穴１６ｂに係合する。これにより、ヘッド部２はバッテリケースユニット３４に対して仮固定され、こうしてヘッド部２が仮固定されることにより、ヘッド部２から出たワイヤハーネスを第１サブ基板１７及び第２サブ基板１８へ接続する作業が非常に容易なものとなる。
【００３３】
図６は、ストロボ装置１においてヘッド部２と制御部筐体３を分離して示す分解斜視図であり、制御部筐体３にヘッドプレート１９が取り付けられた状態で示している。フロントカバー９とバックカバー１４はそれぞれ、制御部筐体３の上面において、ヘッドプレート１９のビス穴１９ｈを用いて、ビス３５でヘッドプレート１９に固定される。こうしてヘッドプレート１９にフロントカバー９とバックカバー１４とが固定されることで、ヘッド部２は制御部筐体３に対して固定される。なお、制御部筐体３の各外装部材は、ボトムカバー１２も含めて、所定位置でバッテリケース１６に対してビスを用いて固定されるが、その説明は省略する。
【００３４】
フロントカバー９の上面の３箇所に放熱孔９ｂが形成されており、各放熱孔９ｂの内部ではヘッドプレート１９の表面が露出している。但し、図１の外観斜視図から明らかなように、放熱孔９ｂはヘッド部２と制御部筐体３の間に位置するため、外部に直に露出することはない。
【００３５】
前述の通り、発光部筐体５の下面及びバウンス筐体８のスカート部８ｄにはそれぞれ第１の通気孔５ａ及び第２の通気孔８ｃが形成されている。そのため、ヘッド部２が正位置にある状態では、各放熱孔９ｂと第１の通気孔５ａ及び第２の通気孔８ｃとが連通した状態となる（図７参照）。よって、点灯により高輝度ＬＥＤ２３から発生した熱は、ＬＥＤ基板２２からビス固定により密着した腕部１９ｂを介してヘッドプレート１９全体へ伝達され、更に放熱孔９ｂよりバウンス筐体８と制御部筐体３との境界の空間へ逃がされる。このとき、ヘッドプレート１９に伝わった熱の一部は密着するフロントカバー９にも伝達されるが、フロントカバー９に伝達された熱も、フロントカバー９を介してバウンス筐体８と制御部筐体３との境界の空間へと伝わることになる。
【００３６】
図７に示すように、バウンス筐体８と制御部筐体３の境界の空間で暖められた空気は、第１の通気孔５ａ及び第２の通気孔８ｃを介して発光部筐体５とバウンス筐体８との間の隙間３０を矢印Ａ方向に上昇し、最終的にバウンス筐体８上部の開口部３１から外部へ放出される。暖められた空気がこのような放熱経路を流れる際に、所謂、トンネル効果が発生し、外部の空気が矢印Ｂ方向に、バウンス筐体８と制御部筐体３の境界外周から放熱経路へ流入するため、暖められた空気の流路を構成する部材の過度の加熱が防止される。
【００３７】
以上の説明の通り、第１実施形態によれば、放熱部材として機能するヘッドプレート１９を制御部筐体３とバウンス筐体８の境界に面するように、制御部筐体３の上面に配置する。これにより、外観に影響を与えることなく安全に、高輝度ＬＥＤ２３で発生した熱の放熱構造を実現することができる。また、ヘッドプレート１９を用いることによって、比較的高いコストのかかるＬＥＤ基板２２の大きさを、ＬＥＤ基板２２単体での放熱性能に限定されることなく、最小限の大きさに設定することができるため、ストロボ装置１の製造コストを抑えることができる。更に、ヘッドプレート１９にヘッド部２のクリック機能や回転規制機能、外装部材の固定機能等を備えさせることにより、機械的な強度の向上を図ることもできる。
【００３８】
＜第２実施形態＞
第２実施形態では、現在、主光源として用いられているキセノン管２７が高輝度ＬＥＤに置き変わった構造を取り上げる。図８は、第２実施形態に係る、主光源として高輝度ＬＥＤ２３を有するストロボ装置の内部構造（発光部筐体の構造）を示す斜視図である。図９は、第２実施形態に係る、主光源として高輝度ＬＥＤ２３を有するストロボ装置のヘッド部の縦断面図である。なお、第２実施形態に係るストロボ装置の構成要素であって、第１実施形態に係るストロボ装置１の構成要素と実質的に同じものについては、第１実施形態と同一の符号を付し、第１実施形態と重複する説明については省略するものとする。
【００３９】
１個の高輝度ＬＥＤ２３の発光量は、キセノン管２７の発光量と比較すると大幅に小さいため、必要な光量を得るために複数個の高輝度ＬＥＤ２３を使用する必要がある。第２実施形態に係るストロボ装置が備えるＬＥＤライトユニット５３は、複数の高輝度ＬＥＤ２３が実装されたアルミニウムからなるＬＥＤ基台５２と、複数の高輝度ＬＥＤ２３のそれぞれに対応する複数のレンズ５１ａが一体成形されたレンズアレイ５１とを有する。複数のレンズ５１ａは、高輝度ＬＥＤ２３で発生する光を効率よく集めて、発光パネル４側へ放射する役割を担う。また、発光パネル４の表裏の形状を工夫することによって、レンズアレイ５１から放射された光を適度に分散させて、複数の発光光源（複数の高輝度ＬＥＤ２３）による放射ムラを軽減すると共に、所望の照射角度で光を放射することが可能となる。
【００４０】
なお、図９に示すように、バウンス筐体８の内部にはメインコンデンサ２９が収容されているが、キセノン管使用時とは異なり、メインコンデンサ２９には高電圧での充電は行われない。メインコンデンサ２９は、ＬＥＤライトユニット５３の高輝度ＬＥＤ２３に瞬間的に大電流を流し、これにより高輝度ＬＥＤ２３にキセノン管のような閃光発光を行わせる。この場合、瞬間的な点灯であるため、高輝度ＬＥＤ２３を破損させることなく、連続点灯時以上の高輝度の点灯（発光）を行わせることができる。なお、ＬＥＤライトユニット５３の高輝度ＬＥＤ２３は、所定光量で連続点灯させて使用することも可能である。
【００４１】
ＬＥＤ基台５２において、高輝度ＬＥＤが実装されている面とは反対側の面には、複数の放熱フィン５２ａが一体形成されており、ＬＥＤ基台５２自体が放熱部材として機能する。放熱フィン５２ａは、図９に示すように、放熱経路である発光部筐体５とバウンス筐体８との間の隙間３８に面して配置される。よって、ＬＥＤライトユニット５３の高輝度ＬＥＤ２３で発生した熱は、隙間３８の空気へ放熱され、暖められた空気は第１実施形態と同様に、矢印Ｃ方向に流れ、バウンス筐体８の上部の隙間３１から外部へ放出される。その際、第１実施形態と同様に、トンネル効果により、外部の空気が矢印Ｄ方向に、バウンス筐体８と制御部筐体３との境界外周から流入するため、暖められた空気の流路を構成する部材の過度の加熱が防止される。
【００４２】
以上の説明の通り、第２実施形態によれば、主光源として複数の高輝度ＬＥＤ２３を有するＬＥＤライトユニット５３を用いたストロボ装置でも、高輝度ＬＥＤ２３で発生する熱を、直接外観に露出しない放熱構造により安全に外部空間に放出することができる。
【００４３】
本発明によれば、ストロボ装置がバウンス機能を有し複数の筐体に分割されたものであれば、連続発光による熱の発生が懸念される高輝度ＬＥＤを用いたＬＥＤライトユニットをいずれの筐体に組み込んでも、放熱部材を各筐体の境界に面して配置して、直接外観には露出しない放熱構造を実現することができる。よって、ストロボ装置の外観品位が損なわれず、また、放熱部にはユーザの手が直接に触れ難いため、ユーザが火傷を負ってしまうような事故の発生を防止することができる。
【００４４】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４５】
例えば、第１実施形態では、放熱部材としてのヘッドプレート１９は、ヘッド部２にユニット化されるとしたが、ＬＥＤライトユニット１０と共に予めフロントカバー９に取り付けられた構造としてもよい。また、ヘッドプレート１９は、少なくとも放熱部材として機能すればよく、クリックや回転規制の機能を有している必要はない。従って、高輝度ＬＥＤ２３が実装されたＬＥＤ基板２２自体の形状を変更して、放熱部材としてもよい。更に、第２実施形態では、ＬＥＤ基台５２に放熱フィン５２ａを一体形成したが、第１実施形態と同様に、平板状の金属からなるＬＥＤ基板に高輝度ＬＥＤ２３を実装し、別途、放熱フィンを有する放熱部材をＬＥＤ基板に密着させた構成としてもよい。
【００４６】
上記の実施形態では、上下方向及び左右方向にバウンス動作が可能な筐体が３つに分かれたストロボ装置を取り上げたが、本発明は、これに限定されるものではない。例えば、本発明は、上下方向のみにバウンス動作が可能な２つ筐体に分かれたストロボ装置にも適用可能であり、発光部筐体５内にＬＥＤライトユニット５３を備える第２実施形態では、上記説明のままの構成での適用が可能である。また、制御部筐体（上下バウンス機能のみの場合にはバウンス筐体８が一体化される）の内部にＬＥＤライトユニットを備える場合であっても、放熱部材の形状を工夫して、発光部筐体との境界に面するように配置すればよい。
【符号の説明】
【００４７】
１    ストロボ装置
２    ヘッド部
３    制御部筐体
５    発光部筐体
５ａ    第１の通気孔
８    バウンス筐体
８ｃ    第２の通気孔
９    フロントカバー
９ｂ    放熱孔
１０，５３    ＬＥＤライトユニット
１９    ヘッドプレート
２２    ＬＥＤ基板
２３    高輝度ＬＥＤ
５２    基台
【図１】
2015028524.tif 000003
【図２】
2015028524.tif 000004
【図３】
2015028524.tif 000005
【図４】
2015028524.tif 000006
【図５】
2015028524.tif 000007
【図６】
2015028524.tif 000008
【図７】
2015028524.tif 000009
【図８】
2015028524.tif 000010
【図９】
2015028524.tif 000011